(57)【要約】【課題】コストを削減しつつ、確実、適切に新旧両基板の不揮発性メモリのアドレスを決定し、接続間違い状態等、データの複写状況を通知して効率的な基板交換作業を可能とする。【解決手段】複写元から複写先の不揮発性メモリにデータの複写を行うためのデータ複写装置１であって、不揮発性メモリが設けられた複写元基板４ａと、不揮発性メモリが設けられた複写先基板４ｚと、複写先基板４ｚと複写元基板４ａに接続し、データ複写状況を通知する状態通知部８１を有する治具８で構成され、データの複写を制御する制御部が基板に設けられ、不揮発性メモリのアドレスを複写元又は複写先と設定するアドレス設定部を複写元、複写先の両基板は含み、制御部は、アドレス設定部の設定アドレスに基づき、複写元から複写先の不揮発性メモリにデータ複写を行い、その状況を状態通知部８１に表示させる。【選択図】図５
2009258876.tif 000002
【特許請求の範囲】
【請求項１】
複写元の不揮発性メモリから複写先の不揮発性メモリにデータの複写を行うためのデータ複写装置であって、
前記複写元の不揮発性メモリが設けられ、データを送受信するための複写元側コネクタが設けられた複写元基板と、
前記複写先の不揮発性メモリが設けられ、データを送受信するための複写先側コネクタが設けられた複写先基板と、
データ複写状況を通知するための表示を行う状態通知部を備えるとともに、一方を前記複写元側コネクタに、他方を複写先側コネクタに接続するための２つの治具側コネクタを備えた治具と、
複写元基板用の前記治具側コネクタと前記複写元基板側コネクタを接続することで前記複写元の不揮発性メモリを複写元として自動的にアドレス設定し、複写先基板用の前記治具側コネクタと前記複写先基板側コネクタを接続することで、前記複写先の不揮発性メモリを複写元として自動的にアドレス設定するアドレス設定部とで構成され、
前記複写元基板と前記複写先基板のいずれか一方、又は、両方に、データの複写を制御するための制御部が設けられ、
前記制御部は、前記アドレス設定部が設定したアドレスに基づき、前記複写元の不揮発性メモリから前記複写先の不揮発性メモリにデータの複写を行うとともに、そのデータ複写状況を前記状態通知部に表示させることを特徴とするデータ複写装置。
【請求項２】
前記制御部は、前記複写元としてアドレス設定された不揮発性メモリ内のデータ内容を確認し、複写すべき所定データが正常ではない場合、データ複写を中断し、前記状態通知部にその旨の通知を行わせることを特徴とする請求項１記載のデータ複写装置。
【請求項３】
前記複写元基板と前記複写先基板の双方に前記制御部が設けられ、又、電源ラインと、グランドラインと、データ伝送のためのデータラインと、いずれが複写元基板に属し、いずれが複写先に属するかを前記制御部が識別するための識別信号ラインが配線され、
前記治具は、前記複写元基板及び前記複写先基板との接続により、両基板の電源ラインとデータラインとグランドラインとを接続し、
又、前記治具は、一方の基板からの前記識別信号ラインを電源ライン接続し、他方の基板からの前記識別信号ラインをグランドラインに接続し、
両基板の前記制御部には、前記識別信号ラインが接続され、
各前記制御部は、前記識別信号ラインの状態に基づき、自己が前記複写元基板に属するか、前記複写先基板に属するかを判断し、前記複写先基板の制御部が、データ複写の制御を行うことを特徴とする請求項１又は２に記載のデータ複写装置。
【請求項４】
前記複写元基板と前記複写先基板の前記アドレス設定部は、いずれも２つの入力端子を有するＡＮＤ回路を有し、前記ＡＮＤ回路の一方の入力端子は電源ラインに接続され、他方の入力端子は前記識別信号ラインに接続されることを特徴とする請求項３記載のデータ複写装置。
【請求項５】
前記治具は、両基板を動作させるための電源を有することを特徴とする請求項１乃至４のいずれか１項に記載のデータ複写装置。
【請求項６】
前記状態通知部は、データ複写動作中であることを表示するデータ複写動作中通知、データ複写正常終了通知、治具に基板を逆に接続していることを表示する基板接続間違い通知、エラー通知のうち、いずれか１つ又は複数の通知を表示することを特徴とする請求項１乃至５のいずれか１項に記載のデータ複写装置。
【請求項７】
前記状態通知部は、１又は複数のＬＥＤによりデータ複写状況を通知することを特徴とする請求項１乃至６のいずれか１項に記載のデータ複写装置。
【請求項８】
前記複写元基板は画像形成装置に装着中又は装着されていた制御基板であり、前記複写先基板は、その画像形成装置の交換用制御基板であることを特徴とする請求項１乃至７のいずれか１項に記載のデータ複写装置。
【請求項９】
複写元の不揮発性メモリから複写先の不揮発性メモリにデータの複写を行うためのデータ複写方法であって、
前記複写元の不揮発性メモリが設けられた複写元基板と、前記複写先の不揮発性メモリが設けられた複写先基板と、データ複写状況を通知するための状態通知部が設けられた治具をそれぞれ接続するステップと、
複写元基板用の治具側コネクタと複写元基板側コネクタを接続することで複写元の不揮発性メモリを複写元としてアドレス設定し、複写先基板用の治具側コネクタと複写先基板側コネクタを接続することで、複写先の不揮発性メモリを複写元としてアドレス設定するステップと、
前記複写元基板と前記複写先基板のいずれか一方、又は、両方に、データの複写を制御するために設けられた制御部により、前記複写元の不揮発性メモリから前記複写先の不揮発性メモリにデータの複写を行うステップと、
前記治具の前記状態通知部にデータ複写状況を通知させるステップと、
を実行することを特徴とするデータ複写方法。
【発明の詳細な説明】
【技術分野】
【０００１】
本発明は、基板に配された不揮発性メモリのデータを、別の基板に配された不揮発性メモリに複写するデータ複写装置、データ複写方法に関する。
【背景技術】
【０００２】
従来から、複写機、複合機、プリンタ、ファクシミリ等の画像形成装置や携帯電話等の各種電気電子機器は、各機器独自のデータ（固有情報）や各種データ、プログラム等を記憶するため、不揮発性メモリ（例えば、ＥＥＰＲＯＭ）を備える。そして、画像形成装置を例に挙げれば、例えば、固有情報には、製品シリアルナンバー、合計印刷枚数、ＭＡＣアドレス（ネットワーク接続時に必要）や、使用者の設定データ等が挙げられる。又、ファクシミリ送受信やメール送受信機能等を有する画像形成装置は、相手方電話番号、ファクシミリ番号、Ｅメールアドレス等を固有情報として記憶することも考えられる。
【０００３】
ここで、ハンダ不良や部品不良等の様々な原因で制御基板等の故障が発生し、制御基板等の基板を交換する場合がある。基板交換時、単に基板を交換しただけでは、固有情報が引き継がれず、又、使用者やサービスマン（メンテナンス作業者）等が、データ入力を行う必要も生じ得て、基板交換作業に要する労力が大きくなる。そこで、従来、例えば、ソケットを介してＤＩＰ形状の不揮発性メモリを基板に装着し、基板交換時、不揮発性メモリを旧基板から取り外し、新基板に再装着することが行われていた。
【０００４】
このような不揮発性メモリの新基板への再装着に関する発明が特許文献１に記載されている。具体的に、特許文献１には、不揮発性メモリを搭載した情報記憶回路を有し、情報記憶回路を制御基板から分離独立させた基板に載置し、該基板を制御基板に対し着脱可能とした給湯機が記載されている。この構成により、特許文献１の発明は、ＥＥＰＲＯＭを搭載した情報記憶回路を、着脱可能とし、制御基板のみの交換により、メンテナンス情報を継承しようとする（特許文献１：請求項１、段落［００１３］等参照）。
【特許文献１】特開平０９−３０３７７０号公報
【発明の開示】
【発明が解決しようとする課題】
【０００５】
しかし、近年、機器の機能高度化、データ処理量増加等により不揮発性メモリは大容量のものが望ましい。しかし、ＤＩＰ形状ではピン数に限度があり、不揮発性メモリを表面実装した方が基板製造コストを削減でき、基板を小型化できる等の利点から、不揮発性メモリの主流は表面実装型に移行しつつあり、現に大容量の不揮発性メモリは、ほぼ表面実装型で占められている。ここで、表面実装型の不揮発性メモリは、基板交換時、旧基板からの取り外し、新基板への再装着を行えないという問題がある。そして、特許文献１の発明は、情報記憶回路を別基板に設けるが、この構成では、不揮発性メモリの大容量化に対応できないだけでなく、基板の製造コスト上昇、小型化の困難等の問題が存在する。
【０００６】
そこで、旧基板と新基板をケーブル等で接続し、固有情報等のデータを新基板に複写する場合がある。この場合、両基板のＣＰＵ等のコントローラや不揮発性メモリ等が、自基板が複写元なのか複写先なのかを確実に認識する必要がある。そこで、新旧両基板の不揮発性メモリのアドレス設定のため、基板にスイッチを設けることや、旧基板と新基板の接続用ケーブルの配線を工夫することがある。
【０００７】
まず、スイッチでアドレス設定を行う場合、サービスマンや修理技術者等の作業者が、新旧両基板のスイッチを所定方向に切り替えて複写元と複写先の設定を行う。しかし、スイッチを基板に実装すれば基板製造コストは上昇する。しかも、アドレス設定用スイッチは基板交換時のみしか使用されないが、基板故障は頻繁に生ずるものではない。従って、コスト削減と基板の故障率の兼ね合いを考えれば、スイッチ実装は回避すべきである。又、アドレス設定用スイッチは、一般に小さく、特に、旧基板を機器から外していない場合などは、視認性が悪く、複写先と複写元を逆に設定したり、いずれの基板も複写元（又は複写先）と設定したりする等、スイッチの誤設定が生じ得るという問題がある。
【０００８】
又、新旧両基板を接続するケーブルの配線を工夫し、複写元と複写先の不揮発性メモリのアドレス設定を行う構成では、スイッチの実装は不要とし得るが、ケーブルに、新旧基板を反対に接続してしまう場合もある（接続方向の誤り）。そして、この場合、新基板の不揮発性メモリの内容を旧基板の不揮発性メモリに書き込んでしまう場合があるという問題がある。特に、装置から旧基板を取り外し、旧基板と新基板を並べてデータの複写作業を行う場合、基本的に旧基板と新基板は同型なので、ケーブルの誤接続が生じやすい。
【０００９】
更に、従来、基板交換のデータ複写では、スイッチの誤設定や、ケーブルへの新旧基板の逆接続状態であることだけでなく、例えば、データ複写の開始、データ複写完了、基板破損によりデータの複写を行えない等の、データ複写状況を、作業者は、認識することができず、効率的にデータ複写作業を進め難いという問題もある。
【００１０】
本発明は、上記従来技術の問題点に鑑みてなされたものであり、コスト削減を達成し、複写元基板と複写先基板の接続ミスを減少させることで、確実、適切に旧基板と新基板の不揮発性メモリのアドレスを決定し、更に、誤設定、誤接続が行われた場合等、データの複写状況を通知して正確、効率的に基板交換作業を行えるようにすることを目的とする。
【課題を解決するための手段】
【００１１】
上記課題を解決するため請求項１に係る発明は、複写元の不揮発性メモリから複写先の不揮発性メモリにデータの複写を行うためのデータ複写装置であって、前記複写元の不揮発性メモリが設けられ、データを送受信するための複写元側コネクタが設けられた複写元基板と、前記複写先の不揮発性メモリが設けられ、データを送受信するための複写先側コネクタが設けられた複写先基板と、データ複写状況を通知するための表示を行う状態通知部を備えるとともに、一方を前記複写元側コネクタに、他方を複写先側コネクタに接続するための２つの治具側コネクタを備えた治具と、複写元基板用の前記治具側コネクタと前記複写元基板側コネクタを接続することで前記複写元の不揮発性メモリを複写元として自動的にアドレス設定し、複写先基板用の前記治具側コネクタと前記複写先基板側コネクタを接続することで、前記複写先の不揮発性メモリを複写元として自動的にアドレス設定するアドレス設定部とで構成され、前記複写元基板と前記複写先基板のいずれか一方、又は、両方に、データの複写を制御するための制御部が設けられ、前記制御部は、前記アドレス設定部が設定したアドレスに基づき、前記複写元の不揮発性メモリから前記複写先の不揮発性メモリにデータの複写を行うとともに、そのデータ複写状況を前記状態通知部に表示させることとした。
【００１２】
この構成によれば、複写元基板の不揮発性メモリを複写先基板に再装着などの物理的な交換を行う必要が無く、不揮発性メモリの実装方式によらず、複写元基板から複写先基板の不揮発性メモリへのデータの複写を行うことができる。そして、アドレス設定部が治具に設けられた２つの治具側コネクタのうちいずれに基板を接続するかで、複写元と複写先の両不揮発性メモリのアドレスを設定するので、スイッチによるアドレス設定に比べ、確実・簡単に複写元と複写先のアドレス設定を行うことができ、アドレス設定用のスイッチを基板に実装する必要が無くなり、基板の製造コストを削減することもできる。
【００１３】
又、単に複写元基板と複写先基板とをケーブルで接続するのではなく、治具を用いて複写元基板と複写先基板とを接続するから、状態通知部を治具に設けることができる。即ち、状態通知部を制御基板や基板が装着される機器に設けなくてすみ、制御基板や機器本体の製造コストを削減することができる。又、状態通知部は、作業者にデータ複写状況を通知するので、作業者は、データ複写状況を的確に把握することができ、作業者は基板交換作業を正確、効率的に進めることができる。
【００１４】
又、請求項２に係る発明は、請求項１記載の発明において、前記制御部は、前記複写元としてアドレス設定された不揮発性メモリ内のデータ内容を確認し、複写すべき所定データが正常ではない場合、データ複写を中断し、前記状態通知部にその旨の通知を行わせることとした。
【００１５】
複写元基板と複写先基板は同タイプであるため、機器から基板を取り外してデータ複写作業を行う場合、複写元基板か、複写先基板か分からなくなり、治具に複写元基板と複写先基板を入れ違いに接続してしまうことが生じ得る。しかし、この構成によれば、複写元の不揮発性メモリ内のデータ内容を確認し、複写すべき所定データが正常ではない場合、状態通知部がその旨の通知を行い、データの複写を行わないので、基板の接続を誤ったときでも、複写先基板の不揮発性メモリのデータを複写元基板の不揮発性メモリに書き込むことを防ぐことができる。又、作業者は、基板の接続ミス設定を認識できる。
【００１６】
又、請求項３に係る発明は、請求項１又は２に記載の発明において、前記複写元基板と前記複写先基板の双方に前記制御部が設けられ、又、電源ラインと、グランドラインと、データ伝送のためのデータラインと、いずれが複写元基板に属し、いずれが複写先に属するかを前記制御部が識別するための識別信号ラインが配線され、前記治具は、前記複写元基板及び前記複写先基板との接続により、両基板の電源ラインとデータラインとグランドラインとを接続し、又、前記治具は、一方の基板からの前記識別信号ラインを電源ライン接続し、他方の基板からの前記識別信号ラインをグランドラインに接続し、両基板の前記制御部には、前記識別信号ラインが接続され、各前記制御部は、前記識別信号ラインの状態に基づき、自己が前記複写元基板に属するか、前記複写先基板に属するかを判断し、前記複写先基板の制御部が、データ複写の制御を行うこととした。
【００１７】
この構成によれば、各基板と治具を接続するだけで、制御部は自動的に複写先と複写元のいずれの基板に属するかを認識でき、そのための構成は簡易である。又、複写先基板の制御部がデータ複写の制御を行うから、両基板に制御部がある場合でも、通信の衝突を避けることができる。更に、故障の可能性が極めて低い新基板（複写先基板）の制御部によりデータの複写を行うことができる。従って、確実にデータの複写を行うことができる。
【００１８】
又、請求項４に係る発明は、請求項３記載の発明において、前記複写元基板と前記複写先基板の前記アドレス設定部は、いずれも２つの入力端子を有するＡＮＤ回路を有し、前記ＡＮＤ回路の一方の入力端子は電源ラインに接続され、他方の入力端子は前記識別信号ラインに接続されることとした。この構成は、アドレス設定部の好適な一例を示し、簡易な構成でアドレス設定部を実現し、基板製造コストを低減できる。又、スイッチ操作などの特別な操作は必要なく、アドレス設定を自動的に行うことができる。
【００１９】
又、請求項５に係る発明は、請求項１乃至４の発明において、前記治具は、両基板を動作させるための電源を有することとした。この構成によれば、治具が複写元基板と複写先基板を動作させるための電源を有するので、両基板駆動用の電源を別途用意する必要がない。特に、作業上の必要性から複写元基板を機器から取り外し、基板が装着されていた機器の電源を利用できない場合に、有効性が高い。更に、データの複写中に停電があっても影響はなく、確実にデータの複写を完了させることができる。
【００２０】
又、請求項６に係る発明は、請求項１乃至５の発明において、前記状態通知部は、データ複写動作中であることを表示するデータ複写動作中通知、データ複写正常終了通知、治具に基板を逆に接続していることを表示する基板接続間違い通知、エラー通知のうち、いずれか１つ又は複数の通知を表示することとした。この構成は、状態通知部が行う通知の好適な一例を述べたものであり、データの複写に関し、これらの表示を行えば、作業者は、データ複写作業を正確、効率的に進められる。
【００２１】
又、請求項７に係る発明は、請求項１乃至６の発明において、前記状態通知部は、１又は複数のＬＥＤによりデータ複写状況を通知することとした。この構成によれば、状態通知部にＬＥＤを用いるので、安価に状態通知部を構成することが可能であり、又、データ複写状況を十分に伝達することができる。
【００２２】
又、請求項８に係る発明は、請求項１乃至７の発明において、前記複写元基板は画像形成装置に装着中又は装着されていた制御基板であり、前記複写先基板は、その画像形成装置の交換用制御基板とした。この構成によれば、画像形成装置の制御基板の製造コストを削減することができる。また、旧基板から新基板に確実に、迅速にデータの複写を行うことができるので、画像形成装置を制御基板故障からスムーズに復帰させることができる。
【００２３】
又、請求項９に係る発明は、複写元の不揮発性メモリから複写先の不揮発性メモリにデータの複写を行うためのデータ複写方法であって、前記複写元の不揮発性メモリが設けられた複写元基板と、前記複写先の不揮発性メモリが設けられた複写先基板と、データ複写状況を通知するための状態通知部が設けられた治具をそれぞれ接続するステップと、  複写元基板用の治具側コネクタと複写元基板側コネクタを接続することで複写元の不揮発性メモリを複写元としてアドレス設定し、複写先基板用の治具側コネクタと複写先基板側コネクタを接続することで、複写先の不揮発性メモリを複写元としてアドレス設定するステップと、前記複写元基板と前記複写先基板のいずれか一方、又は、両方に、データの複写を制御するために設けられた制御部により、前記複写元の不揮発性メモリから前記複写先の不揮発性メモリにデータの複写を行うステップと、前記治具の前記状態通知部にデータ複写状況を通知させるステップと、を実行することとした。この方法によれば、請求項１記載の発明と同様に、迅速、正確、効率的に複写元基板から複写先基板にデータの複写を行うことができる。
【発明の効果】
【００２４】
上述したように、本発明によれば、アドレス設定用のスイッチを基板に実装せずともデータ複写が行え、基板の製造コストが削減される。又、不揮発性メモリのアドレス設定を自動的、確実に行うことができる。又、状態通知部を設けた治具により作業者にデータ複写状況を通知するので、データ複写状況を容易に認識することができ、適切な行動をとることができる。従って、作業者は基板交換作業を効率的に進めることができる。
【発明を実施するための最良の形態】
【００２５】
以下、本発明の実施形態について図１〜５を参照しつつ説明する。複写元の不揮発性メモリから複写先の不揮発性メモリにデータの複写を行うためのデータ複写装置１である本発明は、不揮発性メモリを備えた各種電気、電子機器に適用可能であり、特に使用される基板に制限はないが、本実施形態では、データ複写装置１をプリンタ２（画像形成装置に相当）の制御基板４の不揮発性メモリの複写・交換に利用する場合を説明する。
【００２６】
（プリンタの概略）
そこで、まず、図１により本発明の実施形態に係るプリンタ２の概略を説明する。図１は、本発明の実施形態に係るプリンタ２の模型的垂直断面左側面図である。図１の右方がプリンタ２の前面側、左方が背面側である。
【００２７】
図１に示すように、プリンタ２の本体の内部下方には、各サイズのプリンタ用紙やＯＨＰシート等の各種記録媒体を複数積載して収容可能な用紙カセット２１が配置される。又、用紙カセット２１の用紙搬送方向下流側上方に、給紙装置２２が配される。この給紙装置２２は、用紙等を図１において用紙カセット２１の右上方に向けて送り出す。
【００２８】
用紙カセット２１の用紙搬送方向下流には、用紙搬送路２３、レジストローラ２４、画像形成部２５が配される。用紙カセット２１から送り出された用紙等は、用紙搬送路２３を通ってレジストローラ２４に到達する。レジストローラ２４は、用紙等の斜行を修正しつつ、画像形成部２５で形成されるトナー像とのタイミングを計り、用紙等を画像形成部２５へと送り出す。
【００２９】
画像形成部２５には、像担持体としての感光体ドラム２６と、露光装置２７と、帯電装置２８と、現像装置２９と、転写装置３０等が配される。プリンタ２には、外部コンピュータ１００（図２参照）から文字や図形、模様等の画像データ信号が送信され、この画像データに基づき、画像形成部２５の上方の露光装置２７で制御されるレーザ光（図１中の一点鎖線で図示）が、帯電装置２８によって所定の電位に帯電された感光体ドラム２６に照射される。これにより、感光体ドラム２６上に画像データに基づく静電潜像が形成される。現像装置２９は静電潜像にトナーを供給し、静電潜像はトナー像として現像される。トナー像は、前記レジストローラ２４によって同期をとって送られてきた用紙等に、感光体ドラム２６とローラ状の転写装置３０とが圧接して形成される転写ニップ部３１にて転写される。
【００３０】
画像形成部２５の用紙搬送方向下流には、定着装置３２、用紙搬送路３３、及び排出トレイ３４が配置される。トナー像が転写された用紙等は、定着装置３２へと送られ、加熱ローラ３５と加圧ローラ３６のニップに進入し、トナー像が定着される。定着装置３２から排出された用紙等は、用紙搬送路３３を通って上方へ送られ、用紙排出口３７から、本体の最上部に備えられた排出トレイ３４に排出される。
【００３１】
（プリンタの制御基板やハードウェア構成）
次に、図２に基づき、本発明の実施形態に係るプリンタ２の制御基板４及びハードウェア構成について説明する。図２は、本発明の実施形態に係るプリンタ２の制御基板４を含むハードウェア構成の一例を示すブロック図である。
【００３２】
まず、本発明の実施形態に係るプリンタ２は、プリンタ２の動作制御を行うため、プリンタ２内に適宜配される制御基板４を有する。制御基板４には、用紙カセット２１、給紙装置２２、用紙搬送路２３、３３、レジストローラ２４、画像形成部２５、定着装置３２等が接続され、制御基板４は、これらの各部の動作の制御を行う。
【００３３】
制御基板４には、例えば、ＣＰＵ５（Central Processing Unit、制御部に相当）、ＲＡＭ６（Random Access Memory）、ＥＥＰＲＯＭ７（Erasable and Programmable Read Only Memory、不揮発性メモリに相当）、Ｉ／Ｆ部５０（インターフェイス部）等が設けられる。又、必要に応じ、ＨＤＤ６１（Hard Disk Drive）等の記憶装置を設ける場合がある。
【００３４】
前記ＣＰＵ５は、プリンタ２の動作に必要となる各種演算や処理、制御を行う。前記ＲＡＭ６は、ＣＰＵ５が利用するため、プリンタ２の動作制御のためのプログラムやデータを展開し、又、画像データを一時的に記憶する揮発性メモリである。
【００３５】
前記ＥＥＰＲＯＭ７（Erasable and Programable Read Only Memory）は、記憶すべきデータの書き込み、読み出し、消去を行える不揮発性メモリであり、制御基板４に表面実装される。ＥＥＰＲＯＭ７は、例えば、制御用プログラム等や各部の動作タイミング情報などを記憶することができる。ＣＰＵ５は、これらの制御用のプログラム等をＲＡＭ６に読み出しておき、例えば電源投入時の立ち上げ処理時や画像形成時等に各部を制御する。
【００３６】
更に、ＥＥＰＲＯＭ７は、プリンタ２の固有情報（プリンタ個体ごとの独自固有のデータ）を記憶・保持できる。例えば、固有情報には、製品シリアルナンバーや、メンテナンスにおいて部材交換タイミング確認等に用いる印字合計枚数や、ＭＡＣアドレスや、使用者によるプリンタ２の動作設定や、最適な画像形成を行うための動作補正データ等を挙げることができる。尚、Ｅメール送受信やＦＡＸ機能を備える複合機等では、電話番号、ＦＡＸ番号、メールアドレス等を固有情報として記憶する場合もある。
【００３７】
尚、本実施形態では制御用プログラム、制御用データ、固有情報等を記憶する不揮発性メモリとしてＥＥＰＲＯＭ７を用いるが、読み込み、書き込み、消去等を行うことができればよい。例えば、ＥＥＰＲＯＭ７に変えて、フラッシュメモリを使用しても良い。
【００３８】
前記Ｉ／Ｆ部５０は、外部とのデータの送受信を行うインターフェイスであり、各種コネクタやソケットが設けられる。例えば、このＩ／Ｆ部５０を使用して、外部コンピュータ１００（例えば、ＰＣ）とプリンタ２をケーブル等で直接、又は、ネットワーク経由で接続することができる。そして、プリンタ２は、外部コンピュータ１００等から印刷すべき画像データや印刷設定データの送信を受け、画像形成（印刷）可能である。
【００３９】
（データ複写装置の構成）
次に、図３に基づき、本発明の実施形態に係る制御基板４の交換を説明する。図３は、本発明の実施形態に係る制御基板４の交換時の接続の一例を示すブロック図である。
【００４０】
まず、制御基板４の交換を説明する。プリンタ２の制御基板４は、ハンダ不良、設置後の衝撃（例えば、落下）等の何らかの理由により故障し、正常に動作できなくなることがある（例えば、電源投入しても動作しない、起動しても後に停止してしまう、など）。この場合、制御基板４を交換すれば、プリンタ２は再び正常に利用できるようになる。
【００４１】
しかし、単にプリンタ２の制御基板４を交換するだけでは、ＥＥＰＲＯＭ７内の固有情報を引き継げず、例えば、合計印刷枚数消失によるメンテナンスでの不都合や、ＭＡＣアドレス消失によるネットワーク利用不能や、固有情報の再入力等の不都合が生ずる。そこで、本実施形態のプリンタ２の制御基板交換では、交換後の新しい制御基板４に固有情報等の交換前の基板のＥＥＰＲＯＭ７内に記憶されているデータの複写を行う。
【００４２】
具体的に、図３に示すように、複写元となるＥＥＰＲＯＭが設けられ、プリンタ２に装着中又は装着されていた故障箇所を有する旧制御基板４（以下、「複写元基板４ａ」という。）と、複写先のＥＥＰＲＯＭ７が設けられた交換用の新制御基板４（以下「複写先基板４ｚ」という。）が治具８を介して接続され、データの複写が行われる。ここで、図３において、左側の基板を複写元基板４ａとし、右側の基板を複写先基板４ｚとする。
【００４３】
まず、複写先基板４ｚは交換用の基板であるから、複写元基板４ａと同様の機能を有する。尚、基板や実装部品が改良される場合もあり得るので、全く同一の基板である必要は無いが、基本的構成、機能は同じである。そして、図２、３に示すように、複写元基板４ａと複写先基板４ｚには、それぞれ、データの複写を制御する制御部として機能可能なＣＰＵ５と、不揮発性メモリとしてＥＥＰＲＯＭ７が搭載される。ＣＰＵ５は、複写元基板４ａと複写先基板４ｚの両方に存在するが、データ複写制御には、ＣＰＵ５は１つあればよく、いずれか一方の基板だけにＣＰＵ５が存在する状態でも良い。ここで、両基板の各構成を区別するため、ＣＰＵは、複写元基板４ａのものをＣＰＵ５ａとし、複写先基板４ｚのものをＣＰＵ５ｚとする。又、ＥＥＰＲＯＭは、複写元基板４ａのものをＥＥＰＲＯＭ７ａとし、複写先基板４ｚのものをＥＥＰＲＯＭ７ｚと符号を付す。
【００４４】
そして、複写元基板４ａと複写先基板４ｚには、それぞれ、コネクタ４Ｃが設けられる。以下での説明のため、複写元基板４ａのものをコネクタ４Ｃａとし、複写先基板４ｚのものにコネクタ４Ｃｚと符号を付す。このように、本発明では、複写元となるＥＥＰＲＯＭ７ａを備えた複写元基板４ａには、データを送受信するための複写元側のコネクタ４Ｃａが設けられる。又、複写先となるＥＥＰＲＯＭ７ｚを備えた複写先基板４ｚには、データを送受信するための複写先側のコネクタ４Ｃｚが設けられる。尚、両コネクタ４Ｃは、例えば、制御基板４のＩ／Ｆ部５０に設けてもよいし、Ｉ／Ｆ部５０とは別に設けられても良い。このコネクタ４Ｃａとコネクタ４Ｃｚには、本実施形態では各基板で配線される５本のライン（信号線）が接続される。
【００４５】
この各基板内の５本のラインは、コネクタ４Ｃの上部から順に、例えば、電源ラインＶｄｄ、クロックラインＳＣＬ、データラインＳＤＡ、マスター／スレーブラインＭＳ（識別信号ラインに相当）、グランドラインＧＮＤとすることができる。ここで、電源ラインＶｄｄとグランドラインＧＮＤは、電力供給用のラインである。クロックラインＳＣＬは、データ伝送におけるクロック信号を伝達するためのラインである。データラインＳＤＡは、クロック信号に合わせて送信元から送信先にシリアル通信によりデータを伝送するためのラインである。尚、本実施形態の各デバイス間の通信には、シリアル方式であるが、更にラインを追加して、他のシリアル方式やパラレル方式が採用されてもよい。そして、マスター／スレーブラインＭＳは、いずれが複写元基板４ａに属し、いずれが複写先に属するかを各ＣＰＵ５が識別するための信号ラインである。
【００４６】
そして、ＣＰＵ５ａ、ＣＰＵ５ｚ、ＥＥＰＲＯＭ７ａ、ＥＥＰＲＯＭ７ｚは、電源ラインＶｄｄと接続され、電力供給を受け駆動する。そして、ＣＰＵ５ａとＣＰＵ５ｚの端子には、各基板内で分岐されたクロックラインＳＣＬとデータラインＳＤＡとマスター／スレーブラインＭＳが接続される。又、ＥＥＰＲＯＭ７ａとＥＥＰＲＯＭ７ｚの端子には、各基板内で分岐されたクロックラインＳＣＬとデータラインＳＤＡが接続されるとともに、それぞれ、ＡＮＤ回路４１（アドレス設定部に相当）が接続される。ＡＮＤ回路４１は入力端子を２つ有し、一方の入力端子には電源ラインＶｄｄが接続され、他方の入力端子にはマスター／スレーブラインＭＳが接続される。尚、両基板内では、クロックラインＳＣＬとデータラインＳＤＡは、抵抗Ｒを挟み、電源ラインＶｄｄに接続されるので、無通信状態では、この２つのラインは「Ｈｉｇｈ」状態である。
【００４７】
次に、治具８について説明する。治具８には、データ複写状況を作業者に通知表示を行う状態通知部８１（詳細は後述）と、コネクタ４Ｃａと接続するための治具側コネクタ８２ａと、コネクタ４Ｃｚと接続するための治具側コネクタ８２ｚが設けられる。尚、各コネクタ４Ｃと各治具側コネクタ８２の接続は、コネクタ同士を直接接続しても良く、ケーブル等の部材を用いて接続しても良い。
【００４８】
そして、治具８内でも、図３の上から順に、電源ラインＶｄｄ、クロックラインＳＣＬ、データラインＳＤＡ、マスター／スレーブラインＭＳ、グランドラインＧＮＤの計５本のライン（信号線）が設けられ、各ラインは、治具側コネクタ８２ａと治具側コネクタ８２ｚに接続される。
【００４９】
治具８内のマスター／スレーブラインＭＳ以外の４本のラインは、両治具側コネクタ８２をつなぐように配線される。そして、治具８内のマスター／スレーブラインＭＳ以外の４本のラインは、複写元基板４ａと複写先基板４ｚと治具８を各コネクタで接続した際、同種のラインに接続されるように、両治具側コネクタ８２に接続される。これにより、複写元基板４ａと複写先基板４ｚと治具８と接続することで、両基板の電源ラインＶｄｄ、クロックラインＳＣＬ、データラインＳＤＡ、グランドラインＧＮＤは接続され、電気的につながり、クロックラインＳＣＬとデータラインＳＤＡでバスが構成され、各ＣＰＵ５と各ＥＥＰＲＯＭ７等の各デバイス間で通信可能状態となる。
【００５０】
一方、複写元基板４ａからコネクタ４Ｃａ及び治具側コネクタ８２ａを経て、治具８内に導かれるマスター／スレーブラインＭＳは、治具８内でグランドラインＧＮＤに接続される。一方、複写先基板４ｚからコネクタ４Ｃｚ及び治具側コネクタ８２ｚを経て、治具８内に導かれるマスター／スレーブラインＭＳは、治具８内で電源ラインＶｄｄに接続される。即ち、治具８は、一方の基板からのマスター／スレーブラインＭＳを電源ラインＶｄｄ接続し、他方の基板からのマスター／スレーブラインＭＳをグランドラインＧＮＤに接続する。従って、複写元基板４ａのマスター／スレーブラインＭＳは「Ｌｏｗ」状態を、複写先基板４ｚのマスター／スレーブラインＭＳは「Ｈｉｇｈ」状態を維持する。
【００５１】
そうすると、ＣＰＵ５ａのマスター／スレーブラインＭＳ用端子には、「Ｌｏｗ」が入力される。一方、ＣＰＵ５ｚのマスター／スレーブラインＭＳ用端子には、「Ｈｉｇｈ」が入力される。このように、マスター／スレーブラインＭＳの状態に基づき、各基板の各ＣＰＵ５は、自己がＣＰＵ５ａと、ＣＰＵ５ｚのいずれに相当するかを認識する。即ち、複写元、複写先は、治具側コネクタ８２ａと治具側コネクタ８２ｚのいずれに基板を接続するかのみで自動的に定まる。
【００５２】
又、治具８には、電源ラインＶｄｄ及びグランドラインＧＮＤに接続される電源８３（例えば、１次電池、バッテリ等）が設けられる。治具８にこの電源８３を備えるので、治具８と複写元基板４ａと複写先基板４ｚの接続により、プリンタ２本体の電源投入や、各基板駆動用電源を別途用意することなく、複写先基板４ｚと複写元基板４ａを動作・駆動させることができる。即ち、治具８と基板を接続するだけで、各基板のＣＰＵ５、ＥＥＰＲＯＭ７が動作する。
【００５３】
そして、複写元基板４ａと複写先基板４ｚの両方に電力供給がなされると、両基板のＡＮＤ回路４１の出力が異なることになる。具体的には、複写元基板４ａと複写先基板４ｚの各ＡＮＤ回路４１は、いずれも、２つの入力端子を有し、一方の入力端子はマスター／スレーブラインＭＳに接続され、他方の入力端子は電源ラインＶｄｄに接続される。そうすると、複写元基板４ａのＡＮＤ回路４１の出力は「Ｌｏｗ（０）」となる。一方、複写先基板４ｚのＡＮＤ回路４１の出力は、「Ｈｉｇｈ（１）」となる。このＡＮＤ回路は、各ＥＥＰＲＯＭ７のアドレスを設定するためのアドレス設定部である。
【００５４】
このように、２つの治具側コネクタ８２ａ、８２ｚのうち、いずれに接続するかで、ＡＮＤ回路４１の出力が異なり、ＡＮＤ回路４１からＥＥＰＲＯＭ７への入力端子をＡとすると、ＥＥＰＲＯＭ７ａの入力は、Ａ＝０となり、ＥＥＰＲＯＭ７ｚへの入力はＡ＝１となる。これにより、各ＥＥＰＲＯＭ７は、自己が複写元であるか、複写先であるかを認識することができる。即ち、複写先基板４ａ用の治具側コネクタ８２ａとコネクタ４Ｃａを接続することでＥＥＰＲＯＭ７ａは、複写元の不揮発性メモリとして自動的にアドレス設定され、複写先基板用４ｚ用の治具側コネクタ８２ｚとコネクタ４Ｃｚを接続することでＥＥＰＲＯＭ７ｚは、複写先の不揮発性メモリをとして自動的にアドレス設定される。このように、アドレス設定部は、複写元基板４ａと複写先基板４ｚにそれぞれ設けられるＡＮＤ回路４１と、治具８内の配線で実現される。尚、別段、ＡＮＤ回路４１を設けずに、ＥＥＰＲＯＭ７の入力端子Ａにマスター／スレーブラインＭＳを直接接続しても、同様に両ＥＥＰＲＯＭ７のアドレス設定を行うことはできる。
【００５５】
又、治具８には、状態通知部８１が設けられる。状態通知部８１は、治具８内の電源８３から電力の供給を受けて、ＥＥＰＲＯＭ７ａからＥＥＰＲＯＭ７ｚへのデータ複写状況を通知する。尚、状態通知部８１の詳細は後述する。
【００５６】
ここで、接続された２枚の基板と治具８間の通信方式、しくみについて説明しておく。尚、本実施形態の基板、治具間では、例えば、Ｉ2Ｃの通信規格（Ｉ2Ｃシリアルバス）に基づき、通信を行うことができる。しかし、本発明は、独自の通信規格や他の通信規格にも適用でき、Ｉ2Ｃの通信規格に限定されるものではない。
【００５７】
まず、本実施形態の基板間通信において、データ伝送制御を行うコントローラー（以下、「マスター」という）に相当するデバイスは、ＣＰＵ５である。そして、ＣＰＵ５は２つ存在するが、本実施形態ではＣＰＵ５ｚがＥＥＰＲＯＭ７ａからＥＥＰＲＯＭ７ｚへの固有情報を含むデータの複写制御を行う。即ち、各ＣＰＵ５は、マスター／スレーブラインＭＳの入力端子の状態に基づき、自動的に複写元基板４ａに属するか、複写先基板４ｚに属するか判断し、複写先基板４ｚのＣＰＵ５ｚがデータ複写制御を行う。即ち、ＣＰＵ５ｚは、固有情報等のデータの複写制御を行うマスターとして機能する。これにより、新基板上の故障確率が極めて低いＣＰＵ５ｚにより固有情報等のデータ複写の制御を行うことができる。尚、ＣＰＵ５ａがデータ複写の制御を行うこと自体は不可能ではない。
【００５８】
ここで、図３に示すように、クロックラインＳＣＬ及びデータラインＳＤＡは、無通信状態では、Ｈｉｇｈ状態である。従って、クロックラインＳＣＬ及びデータラインＳＤＡに接続される各デバイスは、クロックラインＳＣＬ及びデータラインＳＤＡが接続される端子のインピーダンスを低くして（ラインの状態をＬｏｗに変化させて）、信号の送信を行う。尚、クロック信号は、ＣＰＵ５ｚが生成すればよい。尚、ＣＰＵ５ａは、全くデータの複写に関与しない状態になれば、クロックラインＳＣＬ及びデータラインＳＤＡが接続される端子のインピーダンスを高い状態に保ち、バス開放を行う。
【００５９】
そして、データの複写時、マスターとしてのＣＰＵ５ｚは、クロックラインＳＣＬとデータラインＳＤＡを利用して、バスに接続される各デバイスの存在を確認する。即ち、ＣＰＵ５ｚは、ＥＥＰＲＯＭ７ａ、７ｚ、状態通知部８１等と通信を行い、その存在を確認することができる。この後、ＣＰＵ５ｚは、各デバイスを制御して、ＥＥＰＲＯＭ７ａからＥＥＰＲＯＭ７ｚに固有情報等のデータ等の複写を行うとともに、データの複写状況に応じて、状態通知部８１が行うべき表示動作を指示する。
【００６０】
（治具の構成）
次に、図４に基づき、本発明の実施形態に係る治具８及び状態通知部８１について説明する。図４（ａ）は、本発明の実施形態に係る治具８の一例を示す斜視図であり、（ｂ）は、状態通知部８１の回路の一例を示す回路図である。
【００６１】
図４（ａ）に示すように、治具８の側面には、制御基板４を接続するための治具側コネクタ８２が設けられる（図４（ａ）では一方のみ可視）。そして、治具８の一面には、ＬＥＤ８４が並列して設けられる。各ＬＥＤ８４は、複写元のＥＥＰＲＯＭ７ａから複写先基板４ｚのＥＥＰＲＯＭ７ｚへの固有情報等のデータ複写状況を表示により通知する。尚、各ＬＥＤ８４の側方に「複写完了」等の各ＬＥＤ８４の点灯時の通知内容を意味する語が記入されても良い（図４（ａ）では不図示）。又、例えば、液晶表示画面やスピーカを設け、文字や音等により固有情報等のデータ複写状況を伝達しても良い（不図示）。
【００６２】
図４（ａ）において、例えば、上から１番目のＬＥＤ８４ａは、データ伝送中等を通知するため点灯する（データ複写動作中通知）。そして、例えば、上から２番目のＬＥＤ８４ｂは、データ複写が正常完了したことを通知するために点灯する（データ複写正常終了通知）。又、例えば、上から３番目のＬＥＤ８４ｃは、複写元基板４ａと複写先基板４ｚとが、逆に治具８に接続されていることを通知するために点灯する（基板接続間違い通知）。又、例えば、上から４番目のＬＥＤ８４ｄは、データ複写不可、正常終了不可、データの破壊を確認等、データ複写にエラーが発生した場合に点灯する（エラー通知）。これらにより、作業者はデータの複写状況を瞬時に認識することができる。
【００６３】
そして、図４（ｂ）に示すように、状態通知部８１は、ＬＥＤ点灯回路８５と状態通知制御回路８６により構成できる。各ＬＥＤ点灯回路８５は、計４つ設けられ、例えば、各ＬＥＤ８４とトランジスタ８７と電流制限抵抗８８で構成される。そして、各トランジスタ８７のベースは、状態通知制御回路８６に接続され、コレクタは電源（例えば、電源ラインＶｄｄ）に接続され、エミッタは、電流制限抵抗８８と各ＬＥＤ８４ａ〜８４ｄが直列接続される。
【００６４】
一方、状態通知制御回路８６には、電源ラインＶｄｄ、グランドラインＧＮＤ、クロックラインＳＣＬとデータラインＳＤＡが接続され、電力供給を受けつつ、ＣＰＵ５ｚからのデータ複写状況に応じた各ＬＥＤ８４の点灯指示信号が入力される。即ち、ＣＰＵ５ｚは、状態通知回路にＬＥＤ８４の点灯指示を与える。この点灯指示を受け、状態通知制御回路８６は、点灯すべきＬＥＤ８４が接続されたトランジスタ８７をＯＮさせ、ＬＥＤ８４を点灯させる。これにより、データ複写状況に応じ、ＬＥＤ８４が点消灯する。
【００６５】
尚、本実施形態では、ＬＥＤ８４を４つ備えた治具８を示すが、通知１種類につき、ＬＥＤ８４は１つ、必ずしも必要ではない。例えば、通知の種類に応じてＬＥＤ８４の点滅間隔や点滅回数を変えて良く、極論すれば、ＬＥＤ点灯回路８５は１つだけでも上記の通知を行うことができる。即ち、状態通知部８１は、データ複写状況を通知するため、例えば１又は複数のＬＥＤ８４を有するものとできる。尚、本実施形態でいえば、４つのＬＥＤ８４を点滅させる等により、更に多くの種類の表示、通知を行うことができる。
【００６６】
（データ複写制御・方法）
次に、図５に基づき、本発明の実施形態に係るデータの複写制御の一例について説明する。図５は、本発明の実施形態に係るデータ複写制御の一例を示すフローチャートである。尚、データ複写制御プログラムは、例えば、各ＣＰＵ５内に格納しておけばよい。
【００６７】
まず、スタートの時点は、固有情報等のデータを新基板のＥＥＰＲＯＭ７に複写するため、治具側コネクタ８２ａにコネクタ４Ｃａが接続され、治具側コネクタ８２ｚにコネクタ４Ｃｚが接続された状態である。この時、両基板は、治具８の電源８３を利用することができるので、複写元基板４ａをプリンタ２から取り外し、２つの基板を並べ、高い作業性の状態でデータ複写作業を行うことができる。
【００６８】
そして、両基板は治具８に接続された時点で電源供給され、駆動を開始する。そして、固有情報等のデータ複写制御プログラムが両基板で起動する（ステップ♯１）。次に、各ＣＰＵ５は、マスター／スレーブラインＭＳの入力端子の状態を確認し、Ｈｉｇｈ状態か否か（又は、Ｌｏｗ状態であるか）を確認する（ステップ♯２）。もし、マスター／スレーブラインＭＳの入力端子がＬｏｗ状態ならば（ステップ♯２のＮｏ）、そのＣＰＵ５は、自己が複写元基板４ａ側のＣＰＵ５ａであると判断し、クロックラインＳＣＬ、データラインＳＤＡの入力端子を高インピーダンスとして、バスを開放する（ステップ♯３）。
【００６９】
次に、マスター／スレーブラインＭＳの入力端子がＨｉｇｈ状態のＣＰＵ５は、自己が複写先基板４ｚのＣＰＵ５ｚとして振る舞い、クロック信号を生成しつつ、データラインＳＤＡに接続されるデバイスのうちで、入力端子Ａ＝Ｌｏｗ（「０」）状態のＥＥＰＲＯＭ７が存在するかを確認する（ステップ♯４）。ここで、入力端子Ａ＝Ｌｏｗ（「０」）状態であるＥＥＰＲＯＭ７は、自己が複写元基板４ａ側のＥＥＰＲＯＭ７ａであることを認識している。例えば、ＣＰＵ５ｚは、予め定められた複写元基板４ａ側のＥＥＰＲＯＭ７ａのアドレスを示す信号（ビット）をデータラインＳＤＡに出力し、該当するデバイスがアクノリッジ信号を返信することで、確認を行うことができる。
【００７０】
もし、入力端子Ａ＝ＬｏｗのＥＥＰＲＯＭ７が見つからなければ（ステップ♯４のＮｏ）、ＣＰＵ５ｚは、データラインＳＤＡ上に状態通知部８１が存在するかを確認する（ステップ♯５）。例えば、状態通知部８１のアドレスも予め定めておき、ＣＰＵ５ｚが状態通知部８１のアドレスをデータラインＳＤＡに出力し、状態通知部８１によるアクノリッジ信号の有無により、確認を行うことができる。
【００７１】
もし、状態通知部８１も見つけられなければ（ステップ♯５のＮｏ）、そのＣＰＵ５ｚは基板と治具８の未接続と判断し、通常時の起動動作をとる（ステップ♯６）。これは、各基板のＣＰＵ５は、プリンタ２内の電源（不図示）から電力供給を受けているのか、治具８から電力供給を受けているのかまでは判断できず、ＥＥＰＲＯＭ７ａも状態通知部８１も見つからない場合に動作を停止する設定をすれば、電源投入時の通常の起動動作においても動作が停止してしまうためである。
【００７２】
一方、状態通知部８１は発見できたが、複写元のＥＥＰＲＯＭ７ａを発見不可の場合（ステップ♯５のＹｅｓ）、治具８と複写元基板４ａが未接続か、接続されていても、通信不可能なほど基板やＥＥＰＲＯＭ７ａに損傷があると判断できるので、ＣＰＵ５ｚは、状態通知部８１にエラー表示を行うＬＥＤ８４ｄの点灯指示を出す（ステップ♯７）。
【００７３】
もし、入力端子Ａ＝ＬｏｗのＥＥＰＲＯＭ７ａを発見した場合（ステップ♯４のＹｅｓ）、まず、ＣＰＵ５ｚは、データ複写動作中であることを表示するため、ＬＥＤ８４ａの点灯指示を出す（ステップ♯８）。これにより、ＬＥＤ８４ａの点灯中は、作業者は、データ破損を防ぐため、治具８から基板を取り外してはならないことを認識できる。
【００７４】
次に、ＣＰＵ５ｚは、ＥＥＰＲＯＭ７ａから固有情報等のデータをＣＰＵ５ｚに向けて送信させる（ステップ♯９）。即ち、ＥＥＰＲＯＭ７ａはトランスミッタとして、ＣＰＵ５ｚはレシーバとして働く。尚、ＣＰＵ５ｚは、ＥＥＰＲＯＭ７ａ内の全記憶データを送信させても良い。ＣＰＵ５ｚは、ＣＰＵ５ｚ内のメモリに送信されたデータを記憶する。尚、この時、ＣＰＵ５ｚは、ＲＡＭ６（図２参照）に受信データを記憶させても良い。
【００７５】
そして、ＣＰＵ５ｚは、ＥＥＰＲＯＭ７ａから、固有情報等の受信すべきデータが記憶されたメモリアドレスのデータを全て受信できたかを確認する（ステップ♯１０）。尚、ＣＰＵ５ｚが受信すべきデータの記憶されたＥＥＰＲＯＭ７ａのメモリアドレスは予め定めておけば良く、適宜設定できる。もし、ＥＥＰＲＯＭ７ａに一部故障がある場合やデータ破損がある場合等、ＥＥＰＲＯＭ７ａからのデータ送信が中断する場合がある。このとき、複写元基板４ａから全部又は一部のデータ複写は行えず、又は、エラーデータが送信されることもあり、ステップ♯１０がＮｏならば、ＣＰＵ５ｚは、状態通知部８１に、ＬＥＤ８４ａを消灯し、エラー表示のＬＥＤ８４ｄの点灯指示を出す（ステップ♯７）。
【００７６】
一方、ステップ♯１０がＹｅｓならば、次に、ＣＰＵ５ｚは、ＥＥＰＲＯＭ７ａからの送信データを確認し、固有情報等が含まれる正常な所定データを受け取ったか、所定データが適切か確認する（ステップ♯１１）。これは、治具８への複写元基板４ａと複写先基板４ｚの入れ違え接続（接続方向ミス）を検出するためである。例えば、複写先基板４ｚは、初期状態では固有情報に相当するデータを記憶しておらず、送信された固有情報等のデータのビットが全て０（又は１）であることや、あり得ないビット列であることを、ＣＰＵ５ｚが検出することで、基板の接続間違いを確認できる。尚、所定データは、固有情報のデータを含むが、固有情報のデータだけでなく、ＥＥＰＲＯＭ７ａに記憶されている他のデータ（制御プログラム等）を含んでいてもよく、適宜、設定することができる。
【００７７】
もし、所定データが非正常の場合（ステップ♯１１のＮｏ）、ＣＰＵ５ｚは、データ複写動作を中断・中止し、状態通知部８１に、ＬＥＤ８４ａを消灯し、基板の装着間違いを表示するＬＥＤ８４ｃの点灯指示を出す（ステップ♯１２）。即ち、ＣＰＵ５ｚは、複写元にアドレス設定されたＥＥＰＲＯＭ７ａ内のデータ内容を確認し、複写すべき所定データが正常でない場合、データ複写を中断し、状態通知部８１にその旨の通知を行わせる。一方、所定データが、正常、適切な時（ステップ♯１１のＹｅｓ）、ＣＰＵ５ｚは、ＥＥＰＲＯＭ７ｚに固有情報等のデータを送信し、書込（記憶）を行わせる（ステップ♯１３）。そして、ＣＰＵ５ｚは、ＥＥＰＲＯＭ７ｚの書込完了後、状態通知部８１に、ＬＥＤ８４ａを消灯し、データ複写完了を表示するＬＥＤ８４ｂの点灯指示を出す（ステップ♯１４）。これにより作業者は、基板と治具８を取り外しても良いと認識できる。
【００７８】
このように、ＣＰＵ５ｚは、アドレス設定部（ＡＮＤ回路４１等）が設定したアドレスに基づき、複写元のＥＥＰＲＯＭ７ａから複写先のＥＥＰＲＯＭ７ｚにデータの複写を行うとともに、そのデータ複写状況を状態通知部８１に表示させる。
【００７９】
尚、本発明は、図５のフローチャートで示すように、データ複写装置１としても、データ複写方法としても捉えることができる。
【００８０】
このようにして、本発明によれば、複写元基板４ａのＥＥＰＲＯＭ７（不揮発性メモリ）を複写先基板４ｚに再装着などの物理的な交換を行う必要が無く、不揮発性メモリの実装方式によらず、複写元基板４ａから複写先基板４ｚの不揮発性メモリへのデータ複写を行うことができる。そして、アドレス設定部により、治具８の２つの治具側コネクタ８２のうちいずれに接続するかで、複写元と複写先の両不揮発性メモリのアドレスが自動設定されるので、スイッチによるアドレス設定に比べ、簡単・確実にアドレス設定を行うことができ、アドレス設定用のスイッチを基板に実装する必要が無くなり、基板の製造コスト削減も実現される。
【００８１】
又、単に複写元基板４ａと複写先基板４ｚとをケーブルではなく、治具８を用いて複写元基板４ａと複写先基板４ｚとを接続するから、状態通知部８１を治具８に設けることができる。即ち、状態通知部８１を制御基板４や基板が装着される機器に設けず、治具８に設けるので、制御基板４や機器本体の製造コストを削減することができる。又、状態通知部８１は、作業者にデータ複写状況を通知するので、作業者は、データ複写状況を的確に把握することができ、作業者は基板交換作業を正確に、効率的に進めることができる。
【００８２】
又、原則として、複写元基板４ａと複写先基板４ｚは同一であるため、機器から基板を取り外してデータ複写作業を行う場合、どちらが複写元で、どちらが複写先の基板であるか分からなくなり、治具８に複写元基板４ａと複写先基板４ｚを入れ違いに接続してしまうことが生じ得る。しかし、この構成によれば、複写元の不揮発性メモリ内のデータ内容を確認し、複写すべき所定データが正常ではない場合、状態通知部８１がその旨の通知を行い、データの複写を行わないので、基板の接続を誤ったときでも、複写先基板４ｚの不揮発性メモリのデータを複写元基板４ａの不揮発性メモリに書き込むことを防ぐことができる。又、作業者は、基板の接続ミス設定を認識できる。又、複写先基板４ｚのＣＰＵ５ｚ（制御部）がデータ複写の制御を行うから、両基板に制御部がある場合でも、通信の衝突を避けることができる。更に、故障の可能性が極めて低い新基板の制御部を用いてデータの複写を行うことができる。従って、確実にデータの複写を行うことができる。
【００８３】
又、簡易な構成でアドレス設定部（ＡＮＤ回路４１と治具８内の配線）を実現することができ、基板製造コストを低減することができる。又、アドレス設定ではスイッチの操作など、特別な操作は必要なく、アドレス設定を自動的に行うことができる。又、治具８が複写元基板４ａと複写先基板４ｚを動作させるための電源８３を有するので、両基板のための電源を別途用意する必要がない。特に、作業上の必要性から複写元基板４ａを機器から取り外し、旧基板が装着されていた機器の電源を利用できない場合に有効性が高い。更に、データの複写中に停電があっても影響はなく、確実にデータの複写を完了させることができる。
【００８４】
又、データの複写に関し、多様な表示も他種類の表示を行うので、作業者は、データ複写作業を正確、効率的に進められる。又、状態通知部８１にＬＥＤ８４を用いれば、安価に状態通知部８１を構成することが可能であり、又、データ複写状況を十分に伝達することができる。又、上記で示したように、画像形成装置の制御基板４の製造コストを削減することができる。又、旧基板から新基板に確実に、迅速にデータの複写を行うことができるので、画像形成装置を制御基板４故障からスムーズに復帰させることができる。又、本発明を方法として捉えた場合、本発明の方法によれば、迅速、正確、効率的に複写元基板４ａから複写先基板４ｚにデータの複写を行うことができる。
【００８５】
以下、別実施形態について説明する。上記の実施形態の説明では、プリンタ２に本発明に係るデータ複写装置１、データ複写方法について説明したが、プリンタ２に限られず、複写機、プリンタ２、ファクシミリ等の他の画像形成装置や、更には、パーソナルコンピュータ、携帯電話、携帯情報端末等の不揮発性メモリに、その個体独自の情報（固有情報）を保持する機器に適用可能である。
【００８６】
以上、本発明の実施形態を説明したが、本発明の範囲はこれに限定されず、発明の主旨を逸脱しない範囲で種々の変更を加えて実施することができる。
【産業上の利用可能性】
【００８７】
不揮発性メモリを備えた基板の交換が可能であり、その基板間でデータの複写を行うことができるデータの複写装置、データ複写方法に利用可能である。
【図面の簡単な説明】
【００８８】
【図１】本実施形態に係るプリンタの模型的垂直断面左側面図である。
【図２】本実施形態に係るプリンタの制御基板を含むハードウェア構成の一例を示すブロック図である。
【図３】本実施形態に係る制御基板の交換時の接続の一例を示すブロック図である。
【図４】（ａ）は、本実施形態に係る治具の一例を示す斜視図であり、（ｂ）は、状態通知部の回路の一例を示す回路図である。
【図５】本実施形態に係るデータ複写制御の一例を示すフローチャートである。
【符号の説明】
【００８９】
１      データ複写装置                      ２      プリンタ（画像形成装置）
４      制御基板
４１    ＡＮＤ回路（アドレス設定部の一部）  ４ａ    複写元基板
４ｚ    複写先基板                          ４Ｃ    コネクタ
４Ｃａ  コネクタ（複写元）                  ４Ｃｚ  コネクタ（複写先）
５      ＣＰＵ（制御部）                    ５ａ    ＣＰＵ（複写元）
５ｚ    ＣＰＵ（複写先）
７      ＥＥＰＲＯＭ（不揮発性メモリ）      ７ａ    ＥＥＰＲＯＭ（複写元）
７ｚ    ＥＥＰＲＯＭ（複写先）
８      治具（アドレス設定部の一部）        ８１    状態通知部
８２    治具側コネクタ                      ８２ａ  治具側コネクタ（複写元側）
８２ｚ  治具側コネクタ（複写先側）          ８３    電源
８４    ＬＥＤ
８４ａ  ＬＥＤ（データ複写動作中通知用）
８４ｂ  ＬＥＤ（データ複写正常終了通知用）
８４ｃ  ＬＥＤ（基板接続間違い通知用）      ８４ｄ  ＬＥＤ（エラー通知用）
Ｖｄｄ  電源ライン                          ＧＮＤ  グランドライン
ＳＤＡ  データライン                        ＳＣＬ  クロックライン
ＭＳ    マスター／スレーブライン（識別信号ライン）
【図１】
2009258876.tif 000003
【図２】
2009258876.tif 000004
【図３】
2009258876.tif 000005
【図４】
2009258876.tif 000006
【図５】
2009258876.tif 000007